(57)【特許請求の範囲】
【請求項１】
内方にベアリング室が形成されたベアリングボス部と該ベアリングボス部の軸方向に対して直交方向に延出し且つ内方にシール室を有するポンプハウジング部とからなるケーシングにおいて、該ケーシングの内部と外部下方とを前記ケーシングをエンジン等の機器に取り付けたときの垂直方向に対して、傾斜を有して連通する傾斜水抜き孔と、前記ポンプハウジング部に形成されると共に前記傾斜水抜き孔の中間箇所で交わり部を介して連通する水溜り部と、前記ケーシングの内方と外部上方とを連通する換気孔と、前記ベアリングボス部の外側面上方の所定位置で前記換気孔の換気開口を覆う換気屋根部とからなり、前記傾斜水抜き孔と前記換気孔とは一直線状に配置され、前記水溜り部は前記交わり部箇所で前記傾斜水抜き孔の下方に位置してなることを特徴とするウォーターポンプ。
【請求項２】
請求項１において、前記水溜り部は、前記交わり部の最下端位置よりも下方に溜め凹部が形成されてなることを特徴とするウォーターポンプ。
【請求項３】
請求項１又は２において、前記交わり部は、前記水溜り部に対して前記傾斜水抜き孔の線方向が貫通する構成としてなることを特徴とするウォーターポンプ。
【請求項４】
請求項１又は２において、前記交わり部は、前記水溜り部に対して前記傾斜水抜き孔の内周側面と、前記水溜り部の一部が連通する構成としてなることを特徴とするウォーターポンプ。
【発明の詳細な説明】
【技術分野】
【０００１】
本発明は、蒸気を排出する換気孔と漏れ水を排出するための傾斜水抜き孔を具備したケーシングにおいて、換気孔からの粉塵の侵入又は泥水等の浸入を防止すると共に、漏れ水をケーシング外に一度に排出することなく、一定量を貯蔵し溢れ分のみを排出する構成を極めて簡単にできるウォーターポンプに関する。
【背景技術】
【０００２】
自動車のエンジンの冷却装置としてウォーターポンプが使用される。ウォーターポンプには、通常、インペラーが配置されたポンプ室とシャフト付きベアリングが装着されるベアリング室との間を水密的に仕切るメカニカルシールが装着されている。しかし、メカニカルシールが装着されていても、ポンプ室からベアリング室側に水が僅かに浸入するものである。
【０００３】
そのために、ベアリング室側には漏れ水及び蒸気が溜まり、この漏れ水が溜まるとベアリング室に装着されたシャフト付きベアリングが腐食するおそれが十分にある。そのために、漏れ水を排出するための水抜き孔と、漏れ水から発生する蒸気を排気する換気孔がケーシングに形成されている。
【０００４】
このような、換気孔と水抜き孔を具備したウォーターポンプのケーシングの一例として、特許文献１乃至３が存在する。特許文献１の構成の概略を説明する。なお、以下の説明において、部材に付された符号は、特許文献１に記載されたものをそのまま使用する。また、従来技術を示す図６（Ａ）及び（Ｂ）の符号は、括弧付けにして、本発明の符号と差別化する。
【０００５】
まず、特許文献１の主に、エンジンブロック２２の取付面３３に固定されるボデイ２３と、該ボデイ２３の中央ボア２４にベアリング２８を介して支承される回転軸２７と、該回転軸２７に支持され冷却水入口３３から出口３４へと冷却水を強制的に供給するインペラ２９で構成されている。
【０００６】
そして、前記メカニカルシール３２とベアリング２８との間に水抜孔３６を設け、該水抜孔３６と連通する水溜部３５をエンジンブロック２２、又はボディ２３の少なくとも一方に備え、水溜部３５はエンジンブロック２２の取付面３３において開口し、ボデイ２３が該取付面３３に固定されることにより水溜部３５が水密状態となる。
【０００７】
水溜部３５の図示上方には、ドレンポート３７が穿設される。ドレンポート３７はエンジンブロック２２の取付面３０側にも開口し、ボデイ２３の取付面３０への固定により水溜部３５を外部へ開放したポートとなる。水溜部３５が満水となると、ドレンポート３７を介して水溜部３５内の漏水を外部へ排出させ、水抜孔３６およびメカニカルシール３２とベアリング２８との間の中央ボア２４内の空間に洩れた冷却水が充満することを防止する。水溜り部３５は周囲が覆われた空間状の筐体として形成されたものである。
【０００８】
また、中央ボア２４の上方には蒸気を排出する換気孔が設けられている。そして、特許文献１では、鋳造により製造されたケーシングに換気孔，水抜き孔３６を形成する場合には、前記換気孔が形成される位置から水抜き孔が形成される位置に向ってドリル等にて穿孔される。上記の加工では、ドリルによって、水溜り部３５を突き破らないようにして、換気孔と水抜き孔３６とが一直線に沿って形成される。
【先行技術文献】
【特許文献】
【０００９】
【特許文献１】特開２００２−２８５９９８号公報
【特許文献２】特開２００２−１２２１００号公報
【特許文献２】特開２００２−１５５５４６号公報
【発明の概要】
【発明が解決しようとする課題】
【００１０】
特許文献１では、前述した切削加工により換気孔と水抜き孔３６が形成されるので、換気孔は、その外部側開口がそのまま中央ボア２４の上方に向かって開いた構造となる。そのために、換気孔の開口から塵やゴミ等が侵入したり、或いは水が浸入し易い構造となってしまう。
【００１１】
そこで、換気孔の開口からの塵やゴミ等の侵入や、水の浸入を防ぐために、特許文献２に開示された突出部１ｆや、特許文献３に開示された周方向リブ７等のような部位が形成され、換気孔の開口を覆うと共に換気孔を略Ｌ字形状に屈曲する孔通路し、塵、ゴミ，水等が入り難い構成にすることも考えられる。
【００１２】
特許文献１におけるケーシングにおいて、換気孔と水抜き孔とをドリル等の切削加工を行う際には、水溜り部３５が存在しているために、前述したように、換気孔形成側から水抜き孔３５側に向かってドリルによる穿孔を行う。しかし、図６（Ｂ）に示すように、突出部１ｆ（特許文献２）や、周方向リブ７（特許文献３）に相当する部位が設けられると、これらが邪魔となり、換気孔及び水抜き孔を切削加工（穿孔）することは極めて困難であり、実際にほとんど不可能である。さらに、水抜き孔３５側からのドリルによる切削加工（穿孔）も水溜り部３５が存在しているので当然不可能である〔図６（Ｂ）参照〕。
【００１３】
したがって、特許文献１では、鋳造及びドリルによる切削加工が可能となるために、換気孔は、単に一直線状で中央ボア２４上方に開口したままの状態とならざるを得ないものである〔図６（Ａ）参照〕。このように、特許文献１では、換気孔からの塵やゴミ等の侵入及び水の浸入は、避けることができないものとなってしまう。本発明の目的（解決しようとする技術的課題）は、換気孔からの塵やゴミ等の侵入や、水の浸入を防止し、しかも水抜き孔と水溜り部とを有するウォーターポンプのケーシングを簡単に製造できるようにすることである。
【課題を解決するための手段】
【００１４】
そこで、発明者は上記課題を解決すべく鋭意，研究を重ねた結果、請求項１の発明を、内方にベアリング室が形成されたベアリングボス部と該ベアリングボス部の軸方向に対して直交方向に延出し且つ内方にシール室を有するポンプハウジング部とからなるケーシングにおいて、該ケーシングの内部と外部下方とを前記ケーシングをエンジン等の機器に取り付けたときの垂直方向に対して、傾斜を有して連通する傾斜水抜き孔と、前記ポンプハウジング部に形成されると共に前記傾斜水抜き孔の中間箇所で交わり部を介して連通する水溜り部と、前記ケーシングの内方と外部上方とを連通する換気孔と、前記ベアリングボス部の外側面上方の所定位置で前記換気孔の換気開口を覆う換気屋根部とからなり、前記傾斜水抜き孔と前記換気孔とは一直線状に配置され、前記水溜り部は前記交わり部箇所で前記傾斜水抜き孔の下方に位置してなるウォーターポンプとしたことにより、上記課題を解決した。
【００１５】
請求項２の発明を、請求項１において、前記水溜り部は、前記交わり部の最下端位置よりも下方に溜め凹部が形成されてなるウォーターポンプとしたことにより、上記課題を解決した。請求項３の発明を、請求項１又は２において、前記交わり部は、前記水溜り部に対して前記傾斜水抜き孔の線方向が貫通する構成としてなるウォーターポンプとしたことにより、上記課題を解決した。請求項４の発明を、請求項１又は２において、前記交わり部は、前記水溜り部に対して前記傾斜水抜き孔の内周側面と、前記水溜り部の一部が連通する構成としてなるウォーターポンプとしたことにより、上記課題を解決した。
【発明の効果】
【００１６】
請求項１の発明では、換気屋根部を有する換気孔と、傾斜水抜き孔と、水溜り部とを有するケーシングを、極めて簡易に製造できる。特に、ケーシングの製造は、鋳造のみにて製造できるし、また鋳造とドリル穿孔による切削加工のいずれであっても容易にできる。まず、傾斜水抜き孔は、ケーシングの内部と外部下方とを傾斜を有して連通する構成である。水溜り部は、傾斜水抜き孔と交わり部を介して連通している。
【００１７】
そして、ケーシングを金型にて鋳造するときに、水溜り部は金型のキャビティにて形成されるようにし、金型に傾斜水抜き孔及び換気孔を成形するための成形ピンを挿し抜き自在に装着できる構造としておく。このような金型を使用することにより、金型にてケーシングを鋳造する行程で、成形ピンを金型から引き抜くと、傾斜水抜き孔と換気孔とが一直線上に形成され、鋳造により傾斜水抜き孔，水溜り部，換気孔及びその換気開口を覆う換気屋根部が一体形成されたケーシングを一度の鋳造にて製造することができる。
【００１８】
また、鋳造成形の時点でケーシングに傾斜水抜き孔，換気孔の成形されない金型を使用する場合には、傾斜水抜き孔をドリル等によって穿孔することになる。本発明では、このような場合であっても、傾斜水抜き孔を水溜り部と交わるような位置に穿孔することで、傾斜水抜き孔と水溜り部とが交わって連通する構成にすることができる。また、同時にドリルにて、傾斜水抜き孔の形成位置から、該傾斜水抜き孔と換気孔とを一直線上に沿って形成することで、換気屋根部には何ら干渉されることなく、換気屋根部内に換気孔の開口が形成され、該開口は換気屋根部を介して外部に連通する構造にできる。
【００１９】
請求項２の発明では、水溜り部は、前記交わり部の最下端位置よりも下方に溜め凹部が形成される構成としている。このような構成により、ポンプハウジング部からベアリングボス部内へ漏れた水は水抜き孔を流下する途中で交わり部から水溜り部内に入り込み、一時的に水溜り部の溜め凹部に溜められる。そして、溜め凹部に貯蔵された水は、満水となる前に、蒸発し、消滅する。
【００２０】
したがって、ケーシング内の漏れ水は、水抜き孔から全部がケーシングの外部に排出されるものではなく、水抜き孔の途中に位置する水溜り部に一時的に溜められる構造であり、しかも、溜まる水の量は極めて僅かであるため、殆ど蒸発して消滅する。そのために、漏れ水は、水抜き孔からケーシングの外部に排出されることは殆どなく、排出されたとしても、その量も極めて微量である。
【００２１】
請求項３の発明では、交わり部は、前記水溜り部に対して前記水抜き孔の線方向が貫通する構成としたことにより、水溜り部には、水抜き孔と同一直径となる流入用の開口が形成されることとなり交わり部を広さを最大限にでき、漏れ水を水溜り部に確実に送り込むことができる。
【００２２】
請求項４の発明では、交わり部は、前記水溜り部に対して前記水抜き孔の内周側面と、前記水溜り部の一部が連通する構成としたので、交わり部の面積を少なくして、その分だけ溜め凹部の容積を広くすることができ、漏れ水の貯蔵容量を大きくすることができる。これにより、雨季、雨天等湿度が高く漏れ水が蒸発し難いときの漏れ水を多く貯蔵し、水抜き孔からの水の垂れ流しを防止できる。
【図面の簡単な説明】
【００２３】
【図１】（Ａ）は本発明の第１実施形態の正面図、（Ｂ）は（Ａ）のＹ1−Ｙ１矢視断面図、（Ｃ）は（Ｂ）のＹ2−Ｙ2矢視断面図である。
【図２】（Ａ），（Ｂ）は本発明におけるケーシングを金型鋳造成形する工程の縦断側面図、（Ｃ）は鋳造成形されたケーシングの縦断側面図である。
【図３】（Ａ）乃至（Ｃ）は水抜き孔と水溜り部の作用を示す要部断面図である。
【図４】本発明の第２実施形態の要部拡大図である。
【図５】換気屋根部及びその付近を示す要部斜視図である。
【図６】（Ａ）及び（Ｂ）は従来技術を示す縦断側面図である。
【発明を実施するための形態】
【００２４】
以下、本発明の実施形態について図面に基づいて説明する。本発明は、複数の実施形態が存在し、まず第１実施形態について説明する。主に、ケーシングＡと、シャフト付きベアリング９１と、メカニカルシール９２と、インペラー９３とから構成される〔図１（Ａ），（Ｂ）参照〕。
【００２５】
前記ケーシングＡは、アルミ合金製であるが、その他の材質でも構わない。本発明では、シャフト付きベアリング９１，メカニカルシール９２及びインペラー９３が装着されたケーシングＡは、ケーシングカバーＡ1を装着して、ポンプ単体として使用するものであるが、該ケーシングカバーＡ1を装着しないで、ケーシングＡをエンジン等の機器の所定位置に直接、装着して使用することもある。
【００２６】
ケーシングＡは、図１（Ｂ）に示すように、略中空円筒形状のベアリングボス部１と平板形状のポンプハウジング部２とから構成される。ベアリングボス部１とポンプハウジング部２とは一体的に形成されている。ベアリングボス部１は、内周側によって包囲されたベアリング室１１が形成される。また、ポンプハウジング部２にはメカニカルシール９２が装着されるシール装着室２１が形成されている。
【００２７】
ベアリング室１１には、シャフト付きベアリング９１のベアリング部が装着され、シール装着室には、メカニカルシール９２が装着される〔図１（Ｂ）参照〕。シャフト付きベアリング９１のシャフトは、メカニカルシール９２によって外周側面が水密的にシールされつつ、メカニカルシール９２を貫通している。そして、シャフトの軸方向一端には、インペラー９３が装着される。また、図中符号９４は、シャフト付きベアリング９１のシャフトに装着されたベルト車であり、符号９５は該ベルト車９４に装着されたベルトであるる。
【００２８】
ケーシングＡのベアリング室１１と、シール装着室２１との間には、空隙室３が形成される〔図１（Ｂ），図２（Ｃ）参照〕。該空隙室３は、ベアリング室１１に装着されたシャフト付きベアリング９１のベアリング部分と、シール装着室２１に装着されたメカニカルシール９２との間に構成されたスペースとなる。
【００２９】
ケーシングＡには、傾斜水抜き孔４と換気孔５とがポンプハウジング部２の延在方向の水平又は垂直方向に対して傾斜状態に形成される〔図１（Ａ），（Ｃ），図３、図４参照〕。具体的には、傾斜水抜き孔４の傾斜角度θは、該傾斜水抜き孔４の仮想の軸線Ｌａとすると、本発明のウォーターポンプを装着するエンジン等の機器に適正な状態で取り付けたときの垂直方向線Ｌに対して、前記水抜き孔４の軸線Ｌａの角度θは、約３０度乃至６０度程度であり〔図１（Ａ），（Ｃ）参照〕、本発明の実施形態としては、４５度程度としてある。
【００３０】
前記傾斜水抜き孔４及び換気孔５は、前記ケーシングＡの内部と外部とを貫通する孔であり、メカニカルシール９２とシャフト付きベアリング９１の間に構成された空隙室３に漏れて溜まった冷却水をケーシングＡの外部に排出する役目を有する。前記傾斜水抜き孔４及び換気孔５は、ケーシングＡにおける空隙室３の内部側と外部側とを貫通する管路状の孔であり、共に直線状の孔であり、傾斜水抜き孔４と換気孔５とは、一直線上（略一直線も含む）に並んで形成される〔図１（Ａ），（Ｂ）、図１（Ｃ）参照〕。
【００３１】
ポンプハウジング部２には、水溜り部８が形成されている（図１参照）。該水溜り部８は、前記傾斜水抜き孔４と交わり部４１を介して連通している。また、水溜り部８は、交わり部４１の位置を基準にして該交わり部４１よりも上方側に位置する傾斜水抜き孔４の直下に位置するように形成されている〔図１（Ｃ）参照〕。交わり部４１は、傾斜水抜き孔４と水溜り部８とが交わる部分であり、傾斜水抜き孔４を流れる漏れ水は、交わり部４１を介して水溜り部８と連通する構成となっている。
【００３２】
水溜り部８は、ポンプハウジング部２の取付面２３の側壁に軸方向に向って窪むように形成され、且つ一部は取付面２３の側壁に沿って開放面となっている〔図２（Ｃ）参照〕。つまり、水溜り部８は、取付面２３にケーシングカバーＡ1又はエンジンのハウジングに直接接合することで、略閉鎖されたスペースを構成するものである。
【００３３】
水溜り部８は、前記交わり部４１の最下端位置よりも下方に溜め凹部８１が形成されている。該溜め凹部８１は、ポンプハウジング部２の下方に向かって掘り下げられるように窪み形成された部位である。前記溜め凹部８１は、前記交わり部４１の最下端位置４１ａよりも下方に形成され、水を一定量溜めることができる構造となっている。
【００３４】
そして、水が溜め凹部８１に溜まった状態で、図３（Ａ）乃至（Ｃ）に示すように、水が殆ど蒸発し、溜め凹部８１で満水状態となる前に、消滅する。たとえ、溜め凹部８１から水が溢れるようなことがあっても、僅かな量であり、この僅かな分量の水は傾斜水抜き孔４からケーシングＡの外部に排出される。
【００３５】
傾斜水抜き孔４と水溜り部８とは、交わり部４１によって連通するものであり、該交わり部４１には２つの実施形態が存在する。まず、第１の実施形態では、図１（Ｃ）に示すように、水溜り部８の上下方向の両側面に対して前記傾斜水抜き孔４の線方向が貫通する構成としたものである。すなわち、水溜り部８には、上方側の連通開口８aと、下方側の連通開口８ｂが存在する。
【００３６】
上方側の連通開口８aから水が入り込み、水はそのまま溜め凹部８１に溜まる。該溜め凹部８１で溢れた水は下方側の連通開口８ｂから傾斜水抜き孔４に流れてケーシングＡから排出される。また、水溜り部８において下方側の連通開口８ｂは、交わり部４１の最下端位置４１ａに等しい位置となる。
【００３７】
また、前記交わり部４１の第２実施形態は、前記水溜り部８に対して前記傾斜水抜き孔４の内周側面と、前記水溜り部８の一部が連通する構成としたものである。この実施形態では傾斜水抜き孔４の線方向は、水溜り部８の上下方向を貫通するものではなく、傾斜水抜き孔４の直径方向の一部と、水溜り部８の一部とが交じるように連通したものである。
【００３８】
この第２実施形態の交わり部４１は、第１実施形態の交わり部４１よりも面積が狭く、傾斜水抜き孔４の内周側面の一部に水溜り部８との連通する開口が形成されたものである。したがって、水溜り部８には、傾斜水抜き孔４と連通する入出開口８ｃのみの１個となる。つまり、第１実施形態のように、上方側の連通開口８a及び下方側の連通開口８ｂは、存在しない。
【００３９】
第２実施形態では、入出開口８ｃの最下縁が交わり部４１で最下端位置４１ａに相当する。第２実施形態では、傾斜水抜き孔４と水溜り部８との間では入出開口８ｃから水の流入及び流出が行われる。傾斜水抜き孔４の交わり部４１よりも下方は、ドレン孔部４２として使用される〔図１（Ｂ），（Ｃ）参照〕。該ドレン孔部４２は、傾斜水抜き孔４の一部であり、孔の直径は傾斜水抜き孔４とドレン孔部４２とは、同一である。
【００４０】
ケーシングＡの外側には、換気屋根部６が形成されている〔図１（Ａ），（Ｂ）参照〕。該換気屋根部６は、前記ベアリングボス部１の外側面上方の所定位置に形成され、且つ前記ポンプハウジング部２側より前記ベアリングボス部１の軸方向に沿って突出形成されたものである。換気屋根部６は、前記換気孔５のケーシングＡの外部側で、且つ換気孔５の排出側である換気開口５１を覆うと共にケーシングＡの補強としての役目も果たす〔図１（Ａ），（Ｂ）参照〕。
【００４１】
換気屋根部６は、ベアリングボス部１の外周側面の上方位置に略半割管形状又はトンネル形状に形成された略アーチ状の形成物である〔図１（Ａ），図５（Ａ）参照〕。そして、換気孔５の換気開口５１は、さらに換気屋根部６を通過して、ケーシングＡの外部と連通する。換気屋根部６は、換気孔５の換気開口５１からケーシングＡの内部へ塵、ゴミの侵入、或いは水の浸入を抑制する役目をなす。
【００４２】
リブ７は、板片状に形成されたものであり、ポンプハウジング部２の外周縁に形成されたボルト取付部２２から、ベアリングボス部１の直径中心に向かって連続的に繋がるようにして形成されている。リブ７は、前記換気屋根部６に対しては連続状に形成され、該換気屋根部６の頂部箇所に形成される。そして、リブ７と換気屋根部６によって、一つの補強リブが構成されることになる。
【００４３】
本発明では、ケーシングＡは、金型１００Ａ，１００Ｂと成形ピン１００Ｃによって鋳造成形される（図２参照）。具体的には、金型１００Ａに成形ピン１００Ｃが挿し抜き自在に装着される〔図２（Ｂ）参照〕。該成形ピン１００Ｃは、ケーシングＡに傾斜水抜き孔４と換気孔５を成形する役目をなす。
【００４４】
まず、金型１００Ａに成形ピン１００Ｃが挿入孔より挿入装着され、金型１００Ａに、金型１００Ｂが接合される。接合された金型１００Ａ，１００Ｂの内部のキャビティに溶融金属が注湯される〔図２（Ａ）参照〕。一定時間経過後に、成形ピン１００Ｃを金型１００Ａから抜く〔図２（Ｂ）参照〕。これによって、傾斜水抜き孔４及び換気孔５が一体形成されたケーシングＡの製造がされる〔図２（Ｃ）参照〕。
【００４５】
この鋳造において、前記成形ピン１００Ｃが水溜り部８の成形箇所を貫通するようにしておくのみで、交わり部４１を介して交わる傾斜水抜き孔４と水溜り部８とを一度に成形することができるものである。また、金型１００Ａ，１００Ｂの鋳造によって成形される換気屋根部６付近に成形ピン１００Ｃの先端が到達するようにセットすることで、換気孔５の換気開口５１と、換気屋根部６とが連通する構造にできる。
【００４６】
また、金型１００Ａ，１００Ｂには、成形ピン１００Ｃが具備されない構造であって、鋳造段階では、水抜き孔４及び換気孔５が形成されないケーシングＡのみを形成し、該ケーシングＡの鋳造成形完了後に、ドリルによる切削加工にて、傾斜水抜き孔４及び換気孔５を形成することも可能である。この場合には、傾斜水抜き孔４の形成位置からドリルを差込み、換気屋根部６に向かって、穿孔を行うものである。
【００４７】
次に、水抜き孔４及び水溜り部８の作用について説明する。前記水溜り部８は、前記傾斜水抜き孔４との交わり部４１の位置を基準にして前記傾斜水抜き孔４の下方に位置するようにしたものである。また、前記交わり部４１の最下端位置４１ａよりも下方に溜め凹部８１が形成される構造としたものである。
【００４８】
したがって、ポンプハウジング部２内部に装着されたメカニカルシール９２からベアリングボス部１の内部へ漏れた水は、傾斜水抜き孔４を流下する途中で交わり部４１から水溜り部８内に入り込み、溜め凹部８１に溜められる〔図３（Ａ）参照〕。そして、水が溜め凹部８１に溜まった状態で、時間の経過と共に水は殆ど蒸発し、溜め凹部８１で満水状態になる前に消滅する〔図３（Ｂ），（Ｃ）参照〕。
【００４９】
また、たとえ、凹部８１に溜まる水が溢れ出すようなことがあったとしても、その量は微量であり、この僅かな分量の水は傾斜水抜き孔４からケーシングＡの外部に排出されることになるが、実際には、水は殆ど排出されないに等しい。したがって、水抜き孔４からの漏れ水の垂れ流し状態は発生することなく、ケーシングＡのメカニカルシール９２等の密閉装置に不具合が生じたのではないかという勘違いによる誤認が起きることを未然に防止できる。
【符号の説明】
【００５０】
Ａ…ケーシング、１…ベアリングボス部、１１…ベアリング室、
２…ポンプハウジング部、２１…シール室、４…傾斜水抜き孔、４１…交わり部、
５…換気孔、５１…換気開口、６…換気屋根部、８…水溜り部、８１…溜め凹部。
【図１】
0005973715.tif 000002
【図２】
0005973715.tif 000003
【図３】
0005973715.tif 000004
【図４】
0005973715.tif 000005
【図５】
0005973715.tif 000006
【図６】
0005973715.tif 000007